(57)【要約】    製雪装置は、水／空気混合体（Ｍ）を放出するための少なくとも一つの水／空気ノズル（１２、１２’）を有する。製雪装置の特徴は、水（Ｗ）を噴出媒体として作動し、空気（Ａ）を水（Ｗ）と混合し、更に水／空気混合体（Ｍ）を圧縮することにより得られた水／空気混合体（Ｍ）を、少なくとも一つの水／空気ノズル（１２、１２’）に供給する、少なくとも一つのジェットポンプ（１０、１０’、１０”）を有することにある。製雪装置による製雪方法は、上記に対応する特徴を備える。本発明は、従来の製雪装置では利用されずに熱に変換されていたエネルギーを、特に有効に利用することを可能にする。
2005513400.tif 000002
【特許請求の範囲】
【請求項１】
水／空気混合体（Ｍ）を放出するのに適した少なくとも一つの水／空気ノズル（１２、１２’）を備え、
少なくとも一つの水／空気ノズル（１２、１２’）に送られる水／空気混合体（Ｍ）を生成するために、噴出媒体としての水（Ｗ）を使用し、空気（Ａ）を水（Ｗ）と混合し、水／空気混合体（Ｍ）を圧縮する、少なくとも一つのジェットポンプを有することを特徴とする
製雪装置。
【請求項２】
前記少なくとも一つのジェットポンプ（１０、１０’、１０”）の各々が、
水（Ｗ）に対する少なくとも一つの噴出ノズル（１４、１４’、１４”）と、
空気（Ａ）に対する少なくとも一つの吸引ノズル（１８、１８’、１８”）と、
少なくとも一つの噴出ノズル（１４、１４’、１４”）から放出される水（Ｗ）を少なくとも一つの吸引ノズル（１８、１８’、１８”）を通って流れる空気（Ａ）と混合するための混合チャンバ（２０、２０’）と、
水／空気混合体（Ｍ）を圧縮するための拡散器（２２、２２’）を有することを特徴とする
請求項１に記載の製雪装置。
【請求項３】
前記製雪装置の全通水量の５０％以上が、少なくとも一つのジェットポンプ（１０、１０’、１０”）を通り、少なくとも一つの水／空気ノズル（１２、１２’）から放出されることを特徴とする
請求項１又は２に記載の製雪装置。
【請求項４】
前記製雪装置が２０ｂａｒ以上の内圧を持つ水配管にスロットルなしで接続され、
少なくとも一つのジェットポンプ（１０、１０’、１０”）の有効作動圧力は少なくとも１０ｂａｒであることを特徴とする
請求項１から３のいずれか一つに記載の製雪装置。
【請求項５】
少なくとも一つのジェットポンプ（１０’）が、通水量、及び／又は、水／空気混合体（Ｍ）の混合比を変化させるためのノズルニードル（６０）を持つことを特徴とする
請求項１から４のいずれか一つに記載の製雪装置。
【請求項６】
複数の水／空気ノズル（１２、１２’）、及び／又は、水／空気ノズル（１２、１２’）のグループが備えられ、
前記製雪装置は複数の水／空気ノズル（１２、１２’）、又は水／空気ノズル（１２、１２’）のグループに同時に混合比の異なる水／空気混合体（Ｍ）を供給する構成を有することを特徴とする
請求項１から５のいずれか一つに記載の製雪装置。
【請求項７】
個別に開くことの出来る複数の水／空気ノズル（１２、１２’）、及び／又は、個別に開くことの出来る複数の水／空気ノズル（１２、１２’）のグループが通水量を調節するために備えられ、
少なくとも一つの該ジェットポンプ（１０、１０’、１０”）が個別に開くことの出来る各水／空気ノズル（１２、１２’）、又は個別に開くことの出来る水／空気ノズル（１２、１２’）の各グループに対して備えられていることを特徴とする
請求項１から６のいずれか一つに記載の製雪装置。
【請求項８】
前記製雪装置が主空気流（Ｓ）を作るためのモータ駆動されるプロペラ（２８）を有し、
水／空気ノズル（１２、１２’）が一つ以上のノズルリング（３２Ａ、３２Ｂ、３２Ｃ、３２Ｄ）に設けられることにより、水／空気混合体（Ｍ）が主空気流（Ｓ）に放出されることを特徴とする
請求項１から７のいずれか一つに記載の製雪装置。
【請求項９】
前記製雪装置がランスロッド（５０）を有し、
上記ランスロッドの一端には少なくとも一つのジェットポンプ（１０、１０’、１０”）を備え、
他端には少なくとも一つの水／空気ノズル（１２、１２’）を持つノズルヘッド（５２、５２’）を備えたことを特徴とする
請求項１から７のいずれか一つに記載の製雪装置。
【請求項１０】
前記製雪装置がランスロッド（５０）を有し、
上記ランスロッドの一端には少なくとも一つのジェットポンプ（１０、１０’、１０”）を持つモジュールと、少なくとも一つの水／空気ノズル（１２、１２’）を持つノズルヘッド（５２、５２’）とを備えたことを特徴とする
請求項１から７のいずれか一つに記載の製雪装置。
【請求項１１】
請求項１から１０のいずれか１つに記載の製雪装置による製雪方法であって、
噴出媒体としての水（Ｗ）を用いて作動し、空気（Ａ）を圧縮し、更に空気を水（Ｗ）と混合する少なくとも一つのジェットポンプ（１０、１０’、１０”）を用いて水／空気混合体（Ｍ）を生成するステップと、
少なくとも一つの水／空気ノズル（１２、１２’）を通して水／空気混合体（Ｍ）を放出するステップとを有する
製雪方法。
【発明の詳細な説明】
【技術分野】
【０００１】
本発明は、製雪装置並びに同装置による製雪方法に関するものである。
【背景技術】
【０００２】
ウインタースポーツには、種々の構成の製雪装置（いわゆるスノーガン）が用いられる。独国特許出願公開第１９６２７５８６号明細書（特許文献１参照。）は、公知の製雪装置の構造について記載している。これらには、地面に接近して用いられる高圧ガン、ランス構造（タワー構造）の高圧ガンおよびプロペラを用いる低圧ガンが含まれる。
【０００３】
地面に接近する高圧ガンは、空圧を用いて水／空気のミストを作り、同時にこのミストを高速で放出することにより、必要な範囲に撒布すると共に高速の空気の膨張により有効な冷却効果を実現する。この場合にかなりの量の圧縮空気が必要である。複数のガンに対して一般に１基のコンプレッサが用いられ、上記コンプレッサの出力定格は、例えば１５から２０ｋＷである。
【０００４】
ランス型の高圧ガンの場合には、水／空気ノズルは、ピストから８〜１２ｍの高さに配置される。この場合には、落下距離が長い為に撒布力は低くても良い。従って高圧ガンに対してもエアーコンプレッサの能力は比較的低く、例えばランス当たり５ｋＷでも良い。この構成のガンは、独国特許出願公開第１９６２７５８６号明細書に示されている。
【０００５】
低圧ガンの場合には、プロペラが主空気流を作り、この中に氷結核が凝集ノズルによりスプレーされ、又微粒水滴がウオーターノズルによりスプレーされる。凝集ノズルは水／空気ノズルの構造を持つ。上記ノズルは、圧縮空気と与圧された水を使用して水／空気混合体を噴霧する。圧縮空気は、凝集ノズルを出る時に解圧され、従って水／空気混合体の水滴を氷点以下に冷却することにより氷の微小結晶が形成される。ウオーターノズルから放出された水滴は、これらの氷結核に付着することにより雪の結晶を形成する。この構成のガンを用いる時、その空圧は通常上記の他の構成と同様に約４から１０ｂａｒの圧力であるが、使用されるのは凝集ノズルに限られる。通常必要な圧縮空気出力定格は、約４から５．５ｋＷである。独国特許出願公開第４１３１８５７号明細書（特許文献２参照。）は、主モータにスクリューコンプレッサをフランジ接続されたスノーガンを示す。
【０００６】
本明細書に記載されるすべての構成の場合、製雪装置は必要な圧縮空気を個別の、又は中央集中型のコンプレッサにより供給される。この構成は、過大な消費エネルギーを必要とする。コンプレッサは製造コストを押し上げ、メンテナンスを必要とし、ノイズも生じる。更に作動の正常であることが必ずしも特に低温時には保障されない。製雪装置に設置されたコンプレッサは、約１２０ｋｇの重量増加を余儀なくされるのに対し、中央集中型コンプレッサには圧縮空気配管が必要となる。
【０００７】
独国特許出願公開第４４２３１２４号明細書（特許文献３参照。）は、追加の空圧源を必要としないプロペラタイプの製雪装置を開示している。この場合の氷結核は、主空気流の中に設置された補助ノズルにより形成される。このプロペラタイプを使用する装置では、プロペラの駆動装置を必要とするが、その出力は特大のレベルのものでなければならない。
【特許文献１】独国特許出願公開第１９６２７５８６号明細書
【特許文献２】独国特許出願公開第４１３１８５７号明細書
【特許文献３】独国特許出願公開第４４２３１２４号明細書
【発明の開示】
【発明が解決しようとする課題】
【０００８】
本発明の目的は、公知のタイプの持つ短所を全面的に、又は部分的に解消することにある。本発明は、好ましくはエアーコンプレッサを全く必要としないか、又は低出力のエアーコンプレッサで済ますことの出来る製雪装置を提供することにある。特にこの製雪装置は、従来の製雪製造では利用されることなく熱に変換されるエネルギーを有効に利用することを可能にする。更に製造コストが安価で軽量、しかも信頼性が高く、メンテナンスコストが最低の製雪製造の提供が意図される。
【課題を解決するための手段】
【０００９】
本発明によれば、上記の目的は、請求項１の特徴を持つ製雪装置により、又請求項１１の特徴を持つ製雪方法により完全に、又は部分的に達成される。従属請求項は、本発明の好ましい実施態様を定める。
【発明の効果】
【００１０】
本発明は、少なくとも一つの水／空気ノズルにより放出される水／空気混合体を作り出すための少なくとも一つのジェットポンプ（液体ジェットガスコンプレッサ）を使用することを基本的なアイディアとするものである。ジェットポンプは、作動部品を有しない構成であり、安価、軽量でしかも高い信頼性を持つ。ジェットポンプに利用される水の有効作動圧によって外気、又はコンプレッサにより予備的に圧縮された空気がジェットポンプに供給される。外気の場合には、従来必要とされたエアーコンプレッサは全く必要ではなく、予備的に圧縮された空気の場合には、コンプレッサは比較的小型で、よりコストの低いものであることが可能である。
【００１１】
ジェットポンプを作動させるための必要エネルギーは、給水源の作動圧力を介して本発明の製雪装置に供給される。本発明による解決手段の驚くべき効果は、従来のシステムにおいて利用されていなかったエネルギーが代表的な用途、即ち積雪のあるスキーピストを作るための多くの製雪装置において利用可能になることである。これは、水が通常、谷に設けられたポンプシステムにより斜面上にある製雪装置に供給されるからである。ポンプシステムには、山側に延びて、製雪装置が接続されている圧力ラインが接続されている。製雪装置に必要なライン圧力、例えば１５から２０ｂａｒは圧力ラインの最高位置においても確保されていなければならない。よって、圧力ラインが敷かれた高低差によっては、ピストの低、中部において更に高く、たとえば４０から８０ｂａｒ、又はこれ以上が必要とされる。
【００１２】
従来のシステムでは、圧力ラインの接続点はスロットルバルブの方法で接続された製雪装置の作動圧力を適切に制限するための給水栓と呼ばれるものを含んでいる。給水栓は、かなりの量のエネルギーを熱に変換する。例えばスロットル出力は、ライン圧力が４０ｂａｒ、製雪装置の作動圧力が１０ｂａｒであり、水の消費量が２０ｍ３／ｈの場合に約１６ｋＷとなる。従来のシステムでは、使用されることのないこのエネルギーは本発明によって利用が可能となる。
【００１３】
上述のように外気、又は予圧された空気を各ジェットポンプに供給することが出来る。本発明のある構成の場合には、特に高圧空気を得るために少なくとも１台の多段ジェットポンプが用いられる。ジェットポンプ（又は少なくとも多段ジェットポンプの一つの段）は、好ましくは水のための噴出ノズル、空気のための吸引ノズル、噴出ノズルから放出される水と吸引ノズルを通って流れる空気とを混合するための混合チャンバおよび水／空気混合体を圧縮するための拡散器を有する。ある構成の吸引ノズルには、渦流化メンバが用いられる。
【００１４】
特に好ましい実施形態においては、製雪装置を通過する水の５０％以上、又は７５％以上、又は９０％以上、又はほぼ全てがジェットポンプ、又は複数のジェットポンプを通過し、水／空気混合体として水／空気ノズル、又は複数の水／空気ノズルを通って放出される。これらの構成では、水により与えられるエネルギーを有効に利用することが出来る。製雪装置のノズルの好ましくは５０％以上、又は７５％以上、又は９０％以上、又はほぼ全ては水／空気ノズル（従来の低圧ガンとしての単なる水ノズルと異なり）として構成されている。これにより、特に多量の氷結核が作り出される。
【００１５】
水／空気混合体を特に充分に圧縮するには、各ジェットポンプの有効作用圧（即ちジェットポンプが利用することの出来る、又は有効噴出液圧とも呼ばれる圧力差）は、少なくとも１０ｂａｒ、好ましくは少なくとも２０ｂａｒ、さらに好ましくは少なくとも３０ｂａｒである。好ましい構成では、製雪装置は２０ｂａｒ以上、好ましくは３０ｂａｒ以上、さらに好ましくは４０ｂａｒ以上のライン圧力を持つ水圧ラインにスロットルなしで、或いは直接接続されることが出来る。
【００１６】
好ましい構成においては、少なくとも一つのジェットポンプは通水量、及び／又は、放出される水／空気混合体（及びこれらから作られる雪質）を変えるためのノズルニードルを有する。ノズルニードルは、特に温度、空中湿度等の外界パラメータを考慮してモータ、又は手動で調節することが出来る。更に改良されたある構成では、ノズルニードルはジェットポンプの空気の流通量を増やすために軸方向に孔を備えている。
【００１７】
本発明の更に有利な構成では、製雪装置の運転中、各種の水／空気ノズル、又は水／空気ノズルのグループは異なった混合比を持つ水／空気混合体を同時に供給されることが出来る。この方策により特に良質な雪を作ることが出来る。水／空気混合体は、構造、又は調整の異なったジェットポンプにより作ることが可能であり、又単独のジェットポンプから（例えば混合チャンバ、又は拡散器の異なった点から）取り出すことが出来る。
【００１８】
製雪の条件、又は環境条件に通水量を段階的に適合させるために個別に開くことの出来る複数の水／空気ノズル、及び／又は、個別に開くことの出来る複数の水／空気ノズルのグループが好ましい構成において用いられている。これらのノズル、又はノズルグループは、分配器を介して個々のジェットポンプ、又はジェットポンプのグループに接続することが出来る。しかし、好ましくは個別に開くことの出来る各ノズル、又はノズルグループに対してはそれぞれ少なくとも一つの個別のジェットポンプが設けられる。
【００１９】
本発明による製雪装置は、あらゆる公知の構造に適用されることが出来る。特にランス型およびプロペラマシンの型式が主流をなす。プロペラ型では、製雪装置は好ましくは主空気流を作り出すためのモータ駆動のプロペラを有し、又水／空気ノズルは、一つ以上のノズルリングの中に設けられることにより、ノズルは水／空気混合体を主空気流の中に放出する。ランス型では、その地面とは反対の端が一つ以上の水／空気ノズルを持つノズルヘッドを有する垂直、又は傾斜ランスロッドが好ましい構成で設けられている。少なくとも一つのジェットポンプをノズル端、又は地面に近いランスロッドの端末に設置することが出来る。ランスロッドは、好ましくは第１のケースでは給水がその中を通過し、又第２のケースでは水／空気混合体が運ばれるパイプの構造を持つ。
【００２０】
好ましい構成では、本発明による方法は上記の特徴および／又は装置の従属請求項に記載の特徴に該当する特徴を用いて考案されている。
【００２１】
本発明のその他の特徴、利点および目的は、複数の実施形態および型式についての下記の記述によって明らかにする。下記の図を含む概略図を参照されたい。
【図面の簡単な説明】
【００２２】
【図１】本発明の実施形態の基本図である。
【図２】プロペラマシンの形態を持つ本発明の第１の実施形態の側面図である。
【図３】図２のプロペラマシンの矢印IIIの方向からの正面図である。
【図４】図２の側面から見たポンプモジュールの矢印IVの方向からの拡大底面図である。
【図５】図２の領域Vの図４のV−Vに沿った拡大断面図である。
【図６】図５に示されたポンプチューブの更に拡大された断面図である。
【図７】ランス型の本発明の第２の実施形態の側面図である。
【図８】図７の領域VIIIの縦軸に沿った断面での拡大側面図である。
【図９】図７の領域XIの縦軸に沿った断面での拡大側面図である。
【図１０】図９に示されたノズルヘッドのX−Xに沿った直交断面である。
【図１１】本発明の別の実施形態によるノズルヘッドおよびジェットポンプの平面斜視図である。
【図１２】図１１によるノズルヘッドの正面図である。
【図１３】図１１によるノズルヘッドの平面図である。
【図１４】図１２のXIV−XIVに沿った長軸断面である。
【図１５】図１３のXVI−XVIに沿った直交断面である。
【図１６】図１３のXV−XVに沿った直交断面である。
【発明を実施するための最良の形態】
【００２３】
図１における基本図は、ジェットポンプ１０および複数の水／空気ノズル１２を備えた製雪装置の要部を示す。ジェットポンプ１０は、噴出ノズル１４およびポンプチューブ１６を用い、それ自体公知の方法で形成され、上記ポンプチューブ１６は、吸引ノズル１８、混合チャンバ２０および拡散器２２から成る。ここに記載の実施形態では、噴出ノズル１４は、例えば４ｍｍ、又は５ｍｍの径を持つ円形ノズル開口で形成される。本例では、吸引ノズル１８はポンプチューブ１６における１２ｍｍの直径の孔として形成され、又ここでの混合チャンバ２０は、一定の直交断面を持つ混合チューブである。ジェットポンプ１０のある実施形態では、渦流化メンバ（図示せず）が噴出ノズル１４に設けられている。
【００２４】
製雪装置の運転中、水Ｗは約２５から４０ｂａｒ、又はそれ以上の圧力で圧力ライン（図示せず）を通りジェットポンプ１０に供給される。ここでは水Ｗは、噴出媒体として作用する。噴出水流の経路は、図１の実線矢印により示されている。水Ｗは、噴出ノズル１４から高速ジェットの形で放出され、その際、吸引ノズル１８を経てポンプチューブ１６に入った空気Ａを引き込む（空気Ａの吸入方向は図１の点線矢印により示されている。）。水Ｗと空気Ａの速度は、混合チャンバ２０では同じであり、従って２つの媒体は激しく混合される。得られた水／空気混合体Ｍの高速は、拡散器２２の中で再び一部が圧力に変換される。
【００２５】
この時、水／空気混合体Ｍは、水／空気ノズル１２に送られて放出される（混合体Ｍの流路は図１の破点線矢印により示される）。空気は、水／空気ノズル１２を離れると同時に急激に膨張し、微小水滴を充分氷点を下回る温度まで冷却する。適切な低温外気の中では、水／空気混合体Ｍのその他の水滴は、これらの氷結核に付着して雪の結晶を形成する。
【実施例１】
【００２６】
図２に示された製雪装置は、主チューブ２４を持ち、その中にはフランジを用いてプロペラ２８が取り付けられた電動モータ２６を備えている。運転中約５から１５ｋＷの出力で電動モータ２６により駆動されるプロペラ２８が主流Ｓを作り出し、その方向は図２に破線矢印により示されている。主チューブ２４は、流れの方向に約５６ｃｍの径に達するテーパーを持つ。
【００２７】
主チューブ２４の出口側に接続されたノズルモジュール３０は、複数のノズルリング３２Ａ、３２Ｂ、３２Ｃ、３２Ｄに配置された多数の水／空気ノズル１２（図１）を備える。分配器３４が、一方ではノズルモジュール３０に、他方ではその内の一つのみが図２に描かれている複数のジェットポンプ１０に接続される。この実施形態では、製雪装置はジェットポンプ１０により作られた水／空気混合体Ｍを供給される水／空気ノズル１２のみを有し、水専用のノズルは設けられていない。
【００２８】
図３の正面図は、特に４つのノズルリング３２Ａ、３２Ｂ、３２Ｃ、３２Ｄの同心円的配列を示す。この例では、ノズルリング３２Ａ、３２Ｂ、３２Ｃ、３２Ｄの各々は６４個、又は７２個の水／空気ノズル１２を持つ８角形に構成されている。各ノズルリング３２Ａ、３２Ｂ、３２Ｃ、３２Ｄの外周導管は、分配器３４に接続されている。
【００２９】
図４のポンプモジュールの拡大図は、分配器３４および接続具３６を介して圧力水源に接続されている３つのジェットポンプ１０を示す。各ジェットポンプ１０は、該当のノズルリング３２Ａ、３２Ｂ、３２Ｃに付随の接続ダクト３８Ａ、３８Ｂ、３８Ｃを介して水／空気混合体Ｍを供給する。ノズルリング３２Ｄは、２つの追加の接続ダクト３８Ｄ、３８Ｅを介して別のジェットポンプ１０（図４には示せず）に接続される。
【００３０】
図４の実施形態では、すべてのジェットポンプ１０は、常に運転されているが、バルブの配置には差異があり、接続具３６の中では入口側に、若しくは分配器３４の中では出口側に設置することが出来る。ノズルリング３２Ａ、３２Ｂ、３２Ｃ、３２Ｄは、これらのバルブを適切にコントロールすることにより個別に開閉することが出来る。これにより、ノズルリング３２Ａ、３２Ｂ、３２Ｃ、３２Ｄの一つ又はそれ以上、若しくは全てを、適宜使用することが出来る。この構成では、水の放出量、つまり製雪レベルは、コストの効用的な方法で調整することが出来る。
【００３１】
図５は、４つのノズルリング３２Ａ、３２Ｂ、３２Ｃ、３２Ｄに該当するノズル孔４０を通って延びるノズルモジュール３０の断面を一例として示す。ノズル孔４０は、例えば図１に示される構造において水／空気ノズル１２を受け入れるためのものである。適切な水／空気ノズル１２は、ノズル孔４０の為の挿入物として市販されており、従って本件発明の対象ではない。
【００３２】
ポンプチューブ１６は、図６に拡大して示されている。吸引ノズル１８は、ポンプチューブ１６の入口側にそれぞれ放射方向に９０°ずらした４つの孔の形で設けられている。
【実施例２】
【００３３】
図７の実施形態において製雪装置は、ランス型の構成を有する。地中のアンカー４２は、２つのヒンジで接続されたサポートロッド４６、４８を有するホルダ４４を固定する。厳密には製雪装置は、上側のサポートロッド４８上に固定されている。これには、例えば８から１２ｍの長さのパイプの形のランスロッド５０が用いられ、その上端にはノズルヘッド５２が、及び下端にはポンプエレメント５４が設けられている。
【００３４】
図８に示されたようにポンプエレメント５４は、ジェットポンプ１０’および付随の接続肘管５６を有する。運転に必要な圧縮水Ｗは、接続肘管５６を介してジェットポンプ１０’に供給される。図１のジェットポンプ１０と同様にジェットポンプ１０’は、噴出ノズル１４’および混合チャンバ２０’と拡散器２２’を持つポンプチューブ１６’から構成されている。接続具５８は、吸引ノズル１８’として機能する外の空気Ａの取り入れ孔を有する。接続具５８は、接続肘管５６、噴出ノズル１４’およびポンプチューブ１６’をモジュールとして接続する。他方ジェットポンプ１０’は、スリーブ６４を介してパイプ型のランスロッド５０に接続される。
【００３５】
ジェットポンプ１０’は、更に貫通孔を有し、ガイド６２の中で長軸方向に移動させることの出来る方法で支持されているノズルニードル６０を有する。ジェットポンプ１０’のポンプとしての性質は、ノズルニードル６０を適切に調節することにより要求を満たすことが出来る。特に通水量、及び／又は、水／空気混合体Ｍの中の水と空気の混合比を調整することが可能である。調整は、手動で（例えば据え付け、又はシステムのメンテナンスの際に）、又は自動的に（例えば希望の雪量、又は気象条件に応じて）行うことが出来る。この例においては、ノズルニードル６０は、その長軸に沿った貫通孔を備えているために、ポンプ能力を高める際には、ジェットポンプ１０’の噴出ジェットの中に更に多くの外気Ａを送り込むことが出来る。しかし、ノズルニードル６０に貫通孔の設けられていないタイプも存在するが、この場合にも調節の容易さには変わりはない。
【００３６】
図９に詳細の示されているノズルヘッド５２は、ランスロッド５０（図７）の上端に接続およびシールモジュール６６により取り外しの可能な形で接続されている。図９および図１０の直交断面に示されているように、この例のノズルヘッド５２は、各々がそれ自体ノズル挿入物の公知の形を持つ該当の水／空気ノズル１２（図１）を受けとめるための合計６つの孔６８を持つ。
【００３７】
運転中ジェットポンプ１０’により作られた水／空気混合体Ｍは、ランスロッド５０に送られ、更にここからノズルヘッド５２に送られる。水／空気混合体Ｍは、水／空気ノズル１２（図１）から微細なスプレーミストとして放出される。この際の膨張により氷結核が生じ、この核から地面までの比較的長い落下距離の間に、更なる水滴の付着により雪の結晶が作り出される。ここに記載の構成においては、パイプ型のランスロッド５０は水／空気混合体Ｍをジェットポンプ１０’からノズルヘッド５２に送るのに用いられる。追加の配管は、圧縮空気、又は水の何れに対しても必要ではない。配管は、既存のピスト施設の中のピストに接して既に敷設された圧力水配管と接続肘管５６とを接続する際に必要となるに過ぎない。
【００３８】
別の例としては、図８に示されたジェットポンプ１０’も図２におけるプロペラマシンに用いられることにより、ノズルニードル６０による調節を可能にする。逆に図７によるランス型の製雪装置も、類似の図１によるジェットポンプ１０を備えることが出来る。
【実施例３】
【００３９】
図１１から図１６は、本発明の追加の実施形態として、２つのジェットポンプ１０”と共にコンパクトなモジュールを形成するノズルヘッド５２’を示している。モジュールは、例えば１０ｍに及ぶランスロッドの上端に取り付けられるものである。言い換えれば、この実施形態は、図７のノズルヘッド５２がノズルヘッド５２’により置き換えられた点、及びジェットポンプ１０”の形のポンプエレメント５４が直接ノズルヘッド５２’に取り付けられた点で、図７の実施形態との差異を示すものである。ジェットポンプ１０”がノズルヘッド５２’と組み合わされる構造により、水／空気混合体Ｍの分離現象（図７の実施形態でのランスロッド５０では起こる場合がある）は回避される。
【００４０】
図１１から図１６によれば、この実施形態によるジェットポンプ１０”は、それぞれ、噴出ノズル１４”、および複数の吸引ノズル１８”を有する。ノズルヘッド５２’には合計１０個のネジ込み式の水／空気ノズル１２’を備え、しかもその内の図１１から図１４の右側に示された４個の水／空気ノズル１２’は第１グループを形成し、図１１から図１４の中央に示された６個の水／空気ノズル１２’は第２グループを形成する。２つのジェットポンプ１０”の噴出ノズル１４”は異なった直径を持ち、従ってその通水量は異なる。噴出ノズル径の小さいジェットポンプ１０”は、４個の水／空気ノズル１２’の第１グループに供給し、噴出ノズル径の大きいジェットポンプ１０”は、６個の水／空気ノズル１２’の第２グループに供給する。従って以上を総合すると、噴出ノズル１４”の第１グループのみ、又は噴出ノズル１４”の第２グループのみ、又は噴出ノズルの両グループを働かせることにより３段階の水量制御を実現することが出来る。
【００４１】
この実施形態において水／空気ノズル１２’として扁平なノズルが使用されることにより、空気の膨張は可能な限り速くなり、従って微小水滴を冷却氷結させ、残りの水のための氷結核を形成する。
【００４２】
図１１から図１６による構成の図７の構成に比した更なる利点は、エネルギー効率の優れていることにある。ジェットポンプ１０”は、好ましくは約３：１の圧力比で運転されるために、約１０ｍの高さに延びるランスパイプにおける約１ｂａｒの圧力損失は、図７の実施形態におけるジェットポンプ１０’の噴出ノズル１４’において約３ｂａｒ高い圧力により補償されねばならない。他方、図１１から図１６の実施形態においては、必要とされる噴出ノズル圧力を得るのに必要な追加の水圧は約１ｂａｒに過ぎない。
【００４３】
構成に関する多くの更なる改善、特に個々のコンポネントのサイズ決定、及び／又は、ジェットポンプ１０、１０’、１０”、若しくは、水／空気ノズル１２、１２’の数は、この分野の当業者にとっては自明である。
【図１】
2005513400.tif 000003
【図２】
2005513400.tif 000004
【図３】
2005513400.tif 000005
【図４】
2005513400.tif 000006
【図５】
2005513400.tif 000007
【図６】
2005513400.tif 000008
【図７】
2005513400.tif 000009
【図８】
2005513400.tif 000010
【図９】
2005513400.tif 000011
【図１０】
2005513400.tif 000012
【図１１】
2005513400.tif 000013
【図１２】
2005513400.tif 000014
【図１３】
2005513400.tif 000015
【図１４】
2005513400.tif 000016
【図１５】
2005513400.tif 000017
【図１６】
2005513400.tif 000018
【国際調査報告】
2005513400.tif 000019
2005513400.tif 000020
2005513400.tif 000021
2005513400.tif 000022
2005513400.tif 000023
2005513400.tif 000024